(57)【要約】【課題】シート材のしわを開放するともに、シート材をドラム上の正しい位置に装着するシート材固定装置、およびドラム型露光装置を提供することを目的とする。【解決手段】支点を挟んだ第１および第２の部分を有するチャックをドラムに回転軸方向に並べて搭載し、そのチャックに１対１に相応する突起を有するチャック押離部を備える。所定のチャックから近い位置にある突起ほどチャックの第１の部分上の支点に近い点を押し、所定のチャックから遠い位置にある突起ほどチャックの第１の部分上の支点から遠い点を押すことで、第２の部分を動かす割合を大きくして、チャックを早く開閉する。【選択図】　　　　図３
2004144938.tif 000002
【特許請求の範囲】
【請求項１】
シート材を周面に巻き付けて回転するドラム上に該ドラムの回転軸方向に複数並べて搭載された、それぞれが支点を挟んだ第１および第２の部分を有する、該ドラムと該第２の部分との間に該シート材をはさみ込むチャックと、
複数の前記チャックに１対１に相応して該チャックの方へ突出した複数の突起を有し、該突起の先端で相応するチャックの前記第１の部分を押離して前記第２の部分と前記ドラムとの間にシート材を固定する、複数の前記チャックのうち所定のチャックに近い位置にあるチャックほど前記第１の部分上の支点から近い点を押離し、前記所定のチャックから遠い位置にあるチャックほど前記第１の部分上の支点から遠い点を押離するチャック押離部とを備えたことを特徴とするシート材固定装置。
【請求項２】
前記チャック押離部は、前記突起として、相応するチャックが前記所定のチャックに近い位置にあるほど長さが短い突起を有するものであることを特徴とする請求項１記載のシート材固定装置。
【請求項３】
シート状の感光材料を巻き付けたドラムを回転させるとともに、前記ドラム上の感光材料をドラムの回転軸方向へ光で走査して該感光材料を露光するドラム型露光装置において、
前記ドラム上に該ドラムの回転軸方向に複数並べて搭載された、それぞれが支点を挟んだ第１および第２の部分を有する、該ドラムと該第２の部分との間に該感光材料をはさみ込むチャックと、
複数の前記チャックに１対１に相応して該チャックの方へ突出した複数の突起を有し、該突起の先端で相応するチャックの前記第１の部分を押離して前記第２の部分と前記ドラムとの間に感光材料を固定する、複数の前記チャックのうち所定のチャックに近い位置にあるチャックほど前記第１の部分上の支点から近い点を押離し、前記所定のチャックから遠い位置にあるチャックほど前記第１の部分上の支点から遠い点を押離するチャック押離部とを備えたことを特徴とするドラム型露光装置。
【発明の詳細な説明】
【０００１】
【発明の属する技術分野】
本発明は、ドラムにシート材を固定するシート材固定装置、および回転するドラムに巻きつけたシート状の感光材料を露光するドラム型露光装置に関する。
【０００２】
【従来の技術】
従来、印刷の分野においては、ＰＳ版（Ｐｒｅｓｅｎｓｉｔｉｚｅｄ　Ｐｌａｔｅ）とよばれる、アルミニウムの薄板などに親水層と感光層を順に重ねたシート状の原版をドラムに巻き付け、ドラムを回転させながら原稿画像に基づく光ビームを原版に照射して原版を露光するドラム型露光装置が広範に用いられている。このようなドラム型露光装置においては、ドラムが回転しているときに原版がずれたり、ドラムと原版との間に浮きが生じたりするのを防ぐために、原版をドラムに密着させて固定する機構が必要となる。通常、ドラムには複数のチャックが回転軸に平行に並べて搭載されており、これらのチャックが原版の端を把持して、原版をドラムに固定している。また、ドラム型露光装置には、これらのチャックを開閉するチャック開閉手段も備えられており、チャックおよびチャック開閉手段をあわせた原版固定装置によって、人手を煩わせることなく自動的に原版の固定が行われている（例えば特許文献１参照）。
【０００３】
ところで、上記の原版固定装置のひとつとして、ドラムに複数並べて搭載された、押離して開閉するてこ状のチャックと、各チャックに１対１に相応した複数の突起を有するチャック開閉手段とを備えた原版固定装置が知られている。この原版固定装置は、チャック開閉手段がドラムに向けて移動し、その移動に伴って各突起が相応する各チャックのてこの片側を押してもう一方の側とドラムとの間に原版を挟む隙間を開け、逆に、チャック開閉手段がドラムから離れることで各チャックとドラムとの間の隙間を閉じるような仕組みになっている。ここで、複数のチャックで１枚の原版を挟む場合、チャックを閉じる順番によっては、原版にしわがよってしまい、そのまま露光すると、光ビームのピントずれや、画像のゆがみ等の原因となるという問題がある。通常、Ｃ（シアン）、Ｍ（マゼンタ）、Ｙ（イエロー）、Ｋ（黒）各色用の原版が露光され、露光された各原版が現像機で現像されて、各原版のうちの光ビームによって照射された部分のみ感光層が残り、それ以外の部分は親水層が露出した印刷版が生成される。さらに、それらの印刷版は印刷機に装着されて、各印刷版の感光層にのみ各色のインクが塗布され、１版ずつ版画像を重ね合わせるようにして用紙に印刷画像が印刷される。このため、露光時に、ある色の原版にピントずれや画像のゆがみが生じると、印刷画像を構成する各色の版画像が重なり合わず、印刷画像がぼやけた画像になってしまう。したがって、これを防ぐために、チャック開閉手段に備えられた突起の長さを片端から順に短くすることで、突起を同時にチャックを閉じる方向に動かすときに短い突起が先にチャックから離れるように工夫して、チャックを片側から順に閉じることが行われている。
【０００４】
【特許文献１】
特開２００２−４６８９０号公報（第５頁、第６頁、第１図）
【０００５】
【発明が解決しようとする課題】
しかし、上記の方法によると、一番短い突起と一番長い突起とでは、チャックを押し下げるストロークが大きく異なり、長さの短い突起に相応するチャックは完全には開ききらないことがある。このとき、この開ききらないチャックが原版を装着するときの抵抗となって原版が斜めに装着されてしまい、露光するときに画像がずれてしまうという恐れがある。
【０００６】
また、上記のように、シート材にしわがよってしまう、あるいはシート材がドラムに正しく装着されないという問題は、ドラム型露光装置だけに限らず、チャックを備えたドラムに薄板などのシート材を固定する固定装置を備えた装置全般に共通する問題である。
【０００７】
本発明は上記事情に鑑み、シート材のしわを開放するともに、シート材をドラム上の正しい位置に装着するシート材固定装置、およびドラム型露光装置を提供することを目的とする。
【０００８】
【課題を解決するための手段】
本発明のシート材固定装置は、シート材を周面に巻き付けて回転するドラム上にドラムの回転軸方向に複数並べて搭載された、それぞれが支点を挟んだ第１および第２の部分を有する、ドラムと第２の部分との間にシート材をはさみ込むチャックと、
複数のチャックに１対１に相応してチャックの方へ突出した複数の突起を有し、突起の先端で相応するチャックの第１の部分を押離して第２の部分とドラムとの間にシート材を固定する、複数のチャックのうち所定のチャックに近い位置にあるチャックほど第１の部分上の支点から近い点を押離し、所定のチャックから遠い位置にあるチャックほど第１の部分上の支点から遠い点を押離するチャック押離部とを備えたことを特徴とする。
【０００９】
同じストローク量だけ第１の部分を押離しても、その押離する位置によって第２の部分が動かされる割合は異なり、第１の部分の支点に近い位置を押離するほど、第２の部分が動かされる割合は大きくなる。
【００１０】
本発明のシート材固定装置におけるチャック押離部は、所定のチャックに近い位置にある突起ほど相応するチャックの第１の部分上の支点から近い点を押すため、全てのチャックが開いた状態でチャック押離部をドラムから離れる方向に移動させると、所定のチャックに近い位置にある突起から順にチャックから離れてチャックを閉じていく。したがって、本発明のシート材固定装置によると、例えば、片端のチャックから順にチャックを閉じるなどして、しわを開放しながらシート材をチャックに把持することができる。
【００１１】
また、本発明のシート材固定装置において、上記のチャック押離部は、突起として、相応するチャックが所定のチャックに近い位置にあるほど長さが短い突起を有するものであることが好ましい。
【００１２】
所定のチャックから最も近い位置にある突起と最も遠い位置にある突起とでは、同じストローク量だけ第１の部分を押離しても第２の部分が動かされる割合が大きく異なり、それぞれのチャックとドラムとの間に形成される隙間が一定にならないためにシート材を装着しづらいことがある。所定のチャックから近い位置にある突起ほど長さを短く、遠い位置にある突起ほど長さを長くすることで、遠い位置にある突起ほどチャックの第１の部分を押すストローク量が多くなり、最も遠い位置にある突起に相応するチャックとドラムとの間に形成される隙間も、他のチャックとドラムとの間の隙間と同等に十分に開けることができる。
【００１３】
さらに、本発明のシート材固定装置において、上記第１の部分として、突起が離れているときに先端が前記ドラムの周面から離れる方向に傾く第１の部分を有するものであってもよい。
【００１４】
上記のように、突起の長さを変えてチャックの第１の部分を押離するストロークを調節するのではなく、第１の部分の傾きによって突起に押離される第１の部分のストローク量を調節して、チャックとドラムとの間に形成される隙間を調節するものであってもよい。
【００１５】
また、本発明のドラム型露光装置は、シート状の感光材料を巻き付けたドラムを回転させるとともに、ドラム上の感光材料をドラムの回転軸方向へ光で走査して感光材料を露光するドラム型露光装置において、
ドラム上にドラムの回転軸方向に複数並べて搭載された、それぞれが支点を挟んだ第１および第２の部分を有する、ドラムと第２の部分との間に感光材料をはさみ込むチャックと、
複数のチャックに１対１に相応してチャックの方へ突出した複数の突起を有し、突起の先端で相応するチャックの第１の部分を押離して第２の部分とドラムとの間に感光材料を固定する、複数のチャックのうち所定のチャックに近い位置にあるチャックほど第１の部分上の支点から近い点を押離し、所定のチャックから遠い位置にあるチャックほど第１の部分上の支点から遠い点を押離するチャック押離部とを備えたことを特徴とする。
【００１６】
本発明のドラム型露光装置によると、チャックを開閉する順序を制御しながら、チャックとドラムとの間に形成される隙間を十分にあけて正確な位置にシート材を装着することができ、露光の際のピントずれや画像のゆがみなどを防ぐことができる。
【００１７】
【発明の実施の形態】
以下、本発明の実施形態について説明する。
【００１８】
印刷画像を印刷する際には、まず、ワークステーションなどで、印刷画像を構成するＣＭＹＫ４色の各色版画像を表す各色用の画像データが生成される。これらの画像データは画像露光装置に入力される。画像露光装置では、アルミニウムなどの薄板上に親水層と感光層とが順に重ねられた原版に、入力された各画像データに基づいた光ビームがそれぞれ照射され、ＣＭＹＫ各色用の原版が露光される。露光された各原版は現像装置に装着されて現像が行われ、各原版の光ビームが照射された部分（各色版画像に相当する部分）のみ感光層が残り、それ以外の部分は感光層が除去されて親水層が露出した印刷版が生成される。さらに、これらの印刷版は印刷機に装着されて、印刷版の親水層が油性のインクをはじくことで印刷版の感光層にのみインクが塗布され、各色版画像が１版ずつ重ね合わさるように印刷されて印刷画像が形成される。以下では、この画像露光装置について説明する。
【００１９】
図１は、本発明の一実施形態が適用された画像露光装置を示す概略構成図である。
【００２０】
画像露光装置１０には、ドラム１００、先端チャック１１０、給排版ユニット２００、後端チャック押離部３００、後端チャック３２０、先端チャック押離部４００、ローラ５００、および露光部６００が備えられている。
【００２１】
画像露光装置１０における本発明のドラム型露光装置としての特徴は、先端チャック押離部４００と先端チャック１１０にあるが、まず、画像露光装置１０の全体の構成について説明する。
【００２２】
ドラム１００は、原版を周面に巻き付けて回転するドラムである。ドラム１００には、後述する後端チャック３２０を取り付けるために、ドラム１００の周面に沿うようにドラム１００の回転する方向に伸びる複数の溝が設けられている。このドラム１００は、本発明にいうドラムの一例に相当する。
【００２３】
先端チャック１１０は、ドラム１００上の回転軸方向に複数並べて搭載されており、原版の先端を把持して原版をドラム１００に固定する。本実施形態においては、先端チャック１１０は、先端チャック押離部４００によって押されるとチャックが開いてドラム１００との間に原版を固定する隙間を形成し、先端チャック押離部４００が離れるとチャックが閉じてドラム１００との間の隙間を閉じる。この先端チャック１１０は、本発明のシート材固定装置およびドラム型露光装置におけるチャックの一例に相当する。
【００２４】
給排版ユニット２００には、原版をドラム１００へ給版する給版ガイド２２０と、原版をドラム１００から排版する排版ガイド２１０とが具備されている。
【００２５】
先端チャック押離部４００は、先端チャック１１０に１対１に相応して並べられた複数の突起４１０を備えている。ドラム１００が回転して先端チャック１１０が先端チャック押離部４００の真下に来ると、先端チャック押離部４００は先端チャック１１０へ向けて移動し、突起４１０は相応する先端チャック１１０を押してチャックを開く。給版ガイド２２０から原版が給版され、原版の先端が先端チャック１１０とドラム１００との間の隙間に装着されると、先端チャック押離部４００は元の位置に移動し、突起４１０は先端チャック１１０を離してチャックを閉じる。突起４１０は本発明のシート材固定装置およびドラム型露光装置における突起の一例にあたり、先端チャック押離部４００は本発明のシート材固定装置およびドラム型露光装置におけるチャック押離部の一例に相当する。
【００２６】
後端チャック押離部３００は、突起３１０を有し、基本的には先端チャック押離部４００と同じ構造をしている。後端チャック３２０も、基本的には先端チャック１１０と同じ構造をしているが、チャックの向きが先端チャック１１０とは逆の向きに取り付けられるという点が異なる。また、複数のサイズの原版に対応するために、原版の後端を把持する後端チャック３２０はドラム１００に予め固定されているのではなく、図示しないセンサで原版のサイズが認識された後に、ドラム１００上の原版の後端に相応する位置に取り付けられる。後端チャック３２０は、ドラム１００に常に固定されているものではないが、ドラム１００が回転して原版の露光が行われているときにはドラム１００に搭載されているものである。
【００２７】
ローラ５００は、原版をドラム１００に巻きつけるときにドラム１００方向へ移動し、原版をドラム１００に密着させるためのローラである。
【００２８】
露光部６００は、ワークステーション（図示しない）などから入力した画像データに基づいた光ビームをドラム１００の回転軸方向に移動させながらドラム１００に照射し、ドラム１００に巻きつけられた原版を露光する。
【００２９】
画像露光装置１０は、基本的には以上のように構成されており、次に、画像露光装置１０に原版を取り付けて、原版を露光する一連の手順について説明する。
【００３０】
ドラム１００が回転して、先端チャック１１０が先端チャック押離部４００の真下に移動すると、先端チャック押離部４００は先端チャック１１０へ向けて駆動し、各突起４１０は相応する先端チャック１１０を押してチャックが開く。
【００３１】
図示しないカセット内に収容された原版は、給排版ユニット２００の給版ガイド２２０によってドラム１００へ給版されて、原版の先端が先端チャック１１０とドラム１００との間に形成された隙間に装着される。原版の先端が正しい位置に装着されると、先端チャック押離部４００は元の位置に移動し、その移動に伴って突起４１０が先端チャック１１０から離れて、先端チャック１１０とドラム１００との間の隙間が閉じる。
【００３２】
原版の先端が先端チャック１１０によって把持されると、ドラム１００は矢印ａの方向に回転し、ローラ５００はドラム１００との間に原版を挟んで原版のしわなどを開放する。また、図示しないセンサによって原版の後端が検知されると、ドラム１００が回転して、原版の後端が後端チャック押離部３００に相応する位置に移動される。後端チャック押離部３００の先には後端チャック３２０が備えられており、後端チャック押離部３００が原版の後端を押すように移動すると、後端チャック３２０はドラム１００に設けられた溝に押し込まれるようにしてドラム１００に取り付けられる。さらに、後端チャック押離部３００は、先端チャック押離部４００と同様の動作で後端チャック３２０を押してチャックを開き、後端チャック３２０は、先端チャック１１０と同様に原版の後端を把持する。原版の後端が後端チャック３２０に把持されると、ローラ５００は元の位置に移動し、ドラム１００は矢印ａの方向に高速回転する。
【００３３】
ドラム１００が高速回転するのに伴い、露光部６００は、光ビームを回転軸方向に移動させながらドラム１００へ向けて照射し、原版を露光する。
【００３４】
露光が終了すると、原版の後端が後端チャック押離部３００の真下にくるようにドラム１００が回転する。
【００３５】
後端チャック押離部３００は、後端チャック３２０のチャックを開いて原版の後端を開放し、さらに、後端チャック３２０をドラム１００から取り外す。
【００３６】
後端チャック３２０が取り外されると、ドラム１００は、先端チャック１１０が先端チャック押離部４００の真下にくるように矢印ｂ方向に回転する。先端チャック押離部４００は、先端チャック１１０を開き、原版の先端を開放する。このとき、原版の後端は排版ガイド２１０上に乗っており、排版ガイド２１０が図示しない排版口へ向けて原版を運び、露光処理が終了する。
【００３７】
次に、本発明のドラム型露光装置の特徴である先端チャック押離部４００と先端チャック１１０について詳しく説明する。
【００３８】
図２は、図１に示す画像露光装置１０の正面図である。以下では、説明の便宜上、この図２で左端に示されているものを他の図でも最左と表現し、この図２で右端に示されているものを他の図でも最右と表現して説明する。
【００３９】
図２に示すように、先端チャック１１０は、ドラム１００上に回転軸方向に並べて搭載されている。また、先端チャック押離部４００に備えられた突起４１０は、先端チャック１１０に１対１に相応するように並べられている。突起４１０の長さは、最左先端チャック１１０ｂに相応する最左突起４１０ｂの長さが最も長く、最右先端チャック１１０ａに近づくほど突起４１０の長さは短くなり、最右先端チャック１１０ａに相応する最右突起４１０ａの長さが最も短くなっている。この最右先端チャック１１０ａは、本発明にいう所定のチャックの一例にあたる。
【００４０】
図３は、先端チャック１１０を先端チャック押離部４００で押してチャックを開けたときに、ドラム１００および先端チャック押離部４００を最右先端チャック１１０ａ側からみた斜視図である。
【００４１】
先端チャック１１０は、支点１１０を挟んだ押離部１１２とシート把持部１１３とで構成されている。図３に示すように、先端チャック押離部４００の突起４１０は、最右先端チャック１１０ａに近い突起４１０ほど、先端チャック１１０の支点１１１に近い点を押している。この先端チャック１１０の支点１１１は、本発明にいう支点の一例にあたり、同様に押離部１１２は本発明にいう第１の部分の一例、シート把持部１１３は本発明にいう第２の部分の一例に相当する。
【００４２】
図４は、最右先端チャック１１０ａおよび最左先端チャック１１０ｂの上面図と、ドラム１００および先端チャック押離部４００を横から見た側面簡略図である。
【００４３】
上面図は、最左先端チャック１１０ｂが最左突起４１０ｂによって押されるときの最左押点１１４ｂよりも、最右先端チャック１１０ａが最右突起４１０ａによって押されるときの最右押点１１４ａの方が支点１１１に近いことを示している。したがって、先端チャック１１０が突起４１０に同じストローク量だけ押された場合、支点１１１から遠い最左押点１１４ｂを押される最左先端チャック１１０ｂの方が、最右先端チャック１１０ａよりもシート把持部１１３が動かされる割合が小さい。
【００４４】
側面簡略図は、最右突起４１０ａおよび最左突起４１０ｂによって最右先端チャック１１０ａおよび最左先端チャック１１０ｂの各押離部１１２が押されて、各シート把持部１１３が同じ開口量だけ動かされたときの先端チャック押離部４００と先端チャック１１０を示している。また、先端チャック１１０は、シート把持部１１３が原版を把持するために、押離部１１２の下に突起４１０に押される方向と逆の方向へ向けて押離部１１２を付勢する弾性部材１１４を備えている。このように、支点１１１から遠い最左押点１１４ｂを押す最左突起４１０ｂは最右突起４１０ａよりも長くなっており、シート把持部１１３を動かす割合の小さい最左突起４１０ｂであっても原版を挟むのに十分な隙間を作ることができる。この状態で、先端チャック押離部４００を上方に移動させ、先端チャック１１０のチャックを閉じる。
【００４５】
図５は、図４の側面簡略図の状態から、先端チャック押離部４００を上方に移動させたときのドラム１００および先端チャック押離部４００を横から見た側面簡略図である。図５に示すように、先端チャック押離部４００を上方に移動させ、その移動に伴って最右突起４１０ａおよび最左突起４１０ｂが同じストロークだけ上方に移動させられても、支点１１１に近い押点を押す最右突起４１０ａの方が先にチャックを閉じる。このように、支点に近い押点を押されるチャックが先に閉まることで、チャックを端から順に閉じることができ、しわを伸ばしながら原版を把持することができる。
【００４６】
ここで、上記では、本発明にいう所定のチャックとして最右のチャックを適用した例について説明したが、この所定のチャックは最端のチャックである必要はなく、例えば、中央のチャックを適用するものであってもよい。
【００４７】
また、上記では、突起の長さによってチャックを押離するストロークを変える画像露光装置について説明したが、本発明のドラム型露光装置は、突起を一定の長さとしてチャックの第１の部分の傾きによって突起がチャックを押離するストロークを変えるドラム型露光装置であってもよい。
【００４８】
また、上記では、予めドラムに搭載された先端チャックを備えた画像露光装置について説明したが、本発明のドラム型露光装置は、原版の端を把持する前にドラムに取り付けられる先端チャックを備えたドラム型露光装置であってもよい。
【００４９】
さらに、上記では、本発明のシート材固定装置を画像露光装置に適用する例ついて説明したが、このシート材固定装置は、ドラムにシートを装着して動作する装置であればよく、ドラム型露光装置以外の装置等に適用されてもよい。
【００５０】
【発明の効果】
以上、説明したように、本発明によれば、シートのしわを開放するともに、シートをドラム上の正しい位置に装着するシート材固定装置、およびドラム型露光装置を提供することができる。
【図面の簡単な説明】
【図１】本発明の一実施形態が適用された画像露光装置の一部を示す概略構成図である。
【図２】図１に示す画像露光装置１０の正面図である。
【図３】ドラム１００および先端チャック押離部４００を最右のチャック１１０ａ側からみた斜視図である。
【図４】最右の先端チャック１１０ａおよび最左の先端チャック１１０ｂの上面図と、ドラム１００および先端チャック押離部４００を横から見た側面簡略図である。
【図５】図４の側面簡略図の状態から、先端チャック押離部４００を上方に移動させたときのドラム１００および先端チャック押離部４００を横から見た側面簡略図である。
【符号の説明】
１０　　画像露光装置
１００　　ドラム
１１０　　先端チャック
１１０ａ　　最右先端チャック
１１０ｂ　　最左先端チャック
１１２　　押離部
１１３　　シート把持部
１１４　　弾性部材
２００　　給排版ユニット
２１０　　排版ガイド
２２０　　給版ガイド
３００　　後端チャック押離部
３１０　　突起
３２０　　後端チャック
４００　　先端チャック押離部
４１０　　突起
４１０ａ　　最右突起
４１０ｂ　　最左突起
５００　　ローラ
６００　　露光部
【図１】
2004144938.tif 000003
【図２】
2004144938.tif 000004
【図３】
2004144938.tif 000005
【図４】
2004144938.tif 000006
【図５】
2004144938.tif 000007